(57)【特許請求の範囲】
【請求項１】
妻側の外壁の一部を平面視Ｌ字型とすることによって、その外壁に凹凸部を形成するとともに、この凹凸部全体を覆うようにして切妻屋根のけらば側端部を張り出させることによって、妻側に陰影を付けるようにした切妻屋根を備えた建物において、前記凸部を覆う屋根部分の母屋として木製の母屋を用いるとともに、前記凹部を覆う屋根部分の母屋として金属製の母屋を用いるようにして、前記凹部を覆う屋根部分の軒側に、梁に連結した金属製の方形枠状のけらば軒フレームを取り付けて、このけらば軒フレームの軒側端部に軒先母屋を取り付けたことを特徴とする切妻屋根を備えた建物。
【発明の詳細な説明】
【０００１】
【発明の属する技術分野】
本発明は、切妻屋根を備えた建物に関し、特にその妻側の構造に係る。
【０００２】
【従来の技術】
一般に、切妻屋根を備えた建物では、その妻側において、切妻屋根のけらば側端部がほぼ平坦な外壁を覆うようにして僅かに張り出した状態となっている。
【０００３】
【発明が解決しようとする課題】
従って、建物の妻側の外観が、何らアクセントのない単調で意匠性に乏しいものとなっていた。そこで、本発明は、上記の不具合を解消して、妻側に変化を持たせて意匠性の向上を図り、建物の美観を高めるようにした切妻屋根を備えた建物の提供を目的とする。
【０００４】
【課題を解決するための手段】
上記課題を解決するため、本発明は、妻側の外壁の一部を平面視Ｌ字型とすることによって、その外壁に凹凸部を形成するとともに、この凹凸部全体を覆うようにして切妻屋根のけらば側端部を張り出させることによって、妻側に陰影を付けるようにしている。
【０００５】
そして、前記凸部を覆う屋根部分の母屋として木製の母屋を用いるとともに、前記凹部を覆う屋根部分の母屋として金属製の母屋を用いるようにして、前記凹部を覆う屋根部分の軒側に、梁に連結した金属製の方形枠状のけらば軒フレームを取り付けて、このけらば軒フレームの軒側端部に軒先母屋を取り付けるようにしている。
【０００６】
【発明の実施の形態】
以下、本発明の一実施形態を図面に基づいて詳細に説明する。図１は、本発明の一実施形態に係る建物の妻側を示す斜視図、図２は、建物の概略平面図、図３は、切妻屋根の妻側における母屋の配列を示す概略平面図である。
【０００７】
本実施形態に係る建物は、図１に示すように、妻側の外壁(１)の一部を平面視Ｌ字型とすることによって、その妻側の外壁(１)に凹凸部(２)(３)を形成するとともに、この凹凸部(２)(３)の全体を覆うように切妻屋根(４)のけらば側端部(５)を外方に張り出させて、妻側に陰影を付けるようにしている。
【０００８】
すなわち、図２に示すように、切妻屋根(４)のけらば側端部(５)の張り出し長が、外壁(１)の凸部(２)からよりも凹部(３)からの方が長くなっており、これによって凹部(３)の上方が広範囲に覆われて凹部(３)に大きな陰影が付くようになっている。
【０００９】
しかしながら、このように切妻屋根(４)のけらば側端部(５)を外方に大きく張り出させると、その張り出した屋根部分は束等で支えることができないので、強度的な問題が生じてくる。そこで、図３に示すように、凸部(２)を覆う張り出しの小さい屋根部分(６)の母屋として、木母屋(７)(７)…を用いるようにし、凹部(３)を覆う張り出しの大きい屋根部分(８)の母屋として、強度的に強い鉄母屋(９)(９)…を用いるようにして、強度的な問題に対処している。
【００１０】
図４は、切妻屋根(４)の妻側における母屋の取付構造を示している。図において、(10)(10)…は屋根傾斜方向に沿って配された登り梁であり、棟方向に適宜間隔をあけて取り付けられている。そして、これら登り梁(10)(10)…の上面間に跨って木母屋(７)(７)…及びリップ付き溝形鋼からなる鉄母屋(９)(９)…が取り付けられている。けらば側端部(５)においては、凹部(３)に対応した鉄母屋(９)(９)…が無支持状態で大きく張り出すことになるが、それ自身の剛性によって強度を保つようにしている。なお、図中、(12)は束部材である。
【００１１】
また、本実施形態に係る建物においては、図１及び図２に示すように、妻側の外壁(１)の凹部(３)が軒側まで及んでいるため、凹部(３)を覆う屋根部分(８)の軒側にも強度を保つための配慮が必要となる。そこで、屋根部分(８)の軒側に、図３に示すように、けらば軒フレーム(20)を設けて、そのけらば軒フレーム(20)の軒側端部に軒先母屋(21)を取り付けるようにしている。
【００１２】
けらば軒フレーム(20)は、図５にも示すように、屋根傾斜方向に沿って配された２本の腕木(22)(23)と、これら腕木(22)(23)よりもけらば側で腕木(22)(23)と平行に配されたけらば端部フレーム材(24)と、腕木(22)と腕木(23)の棟側端部間、及び腕木(23)とけらば端部フレーム材(24)の棟側端部間に差し渡された合計４本の鉄母屋(25)(25)…と、腕木(22)(23)及びけらば端部フレーム材(24)の軒側端部に跨って鉄母屋(25)(25)…と平行に配された軒端部フレーム材(26)とを方形枠状に連結してなる。
【００１３】
腕木(22)は、一対のリップ付き溝形鋼をそのウエブ部分を合わせるようにして連結してなり、その棟側端部が取付プレート(27)を介してＨ形鋼からなる梁(28)に連結されている。腕木(23)は、Ｈ形鋼からなり、その棟側端部が取付プレート(27)を介してＨ形鋼からなる梁(29)に連結されている。さらに、端部フレーム材(24)及び鉄母屋(25)(25)…は、リップ付き溝形鋼からなり、軒端部フレーム材(26)は、複数の母屋取付プレート(30)(30)…が軒方向に向かって突設された溝形鋼からなる。そして、軒端部フレーム材(26)の母屋取付プレート(30)(30)…に跨って軒先母屋(21)が取り付けられている。
【００１４】
このように、凹部(３)を覆う屋根部分(８)の軒側に、方形枠状とした強度的に強いけらば軒フレーム(20)を取り付けて、このけらば軒フレーム(20)に軒先母屋(21)を取り付けるようにすることで、軒側の強度を保っている。なお、各母屋やフレーム材の上側には、図示しない野地板、アスファルトルーフィング及び瓦等が設置されて、切妻屋根(４)として構成される。
【００１６】
【発明の効果】
以上の説明から明らかなように、本発明によると、妻側の外壁に形成した凹凸部全体を覆うようにして切妻屋根のけらば側端部を張り出させることによって、建物の妻側に陰影を付けるようにしているので、建物の妻側の外観をアクセントのある変化に富んだものすることができ、これによって妻側の意匠性の向上を図ることができ、建物全体としての美観も高まることになる。
【００１７】
また、切妻屋根における外壁の凸部を覆う部分すなわち外壁からの張り出しが小さな部分に、木母屋を用いるようにし、凹部を覆う部分すなわち外壁からの張り出しが大きな部分に、強度的に強い鉄母屋を用いるようにしているので、凹凸部全体を覆うようにして切妻屋根のけらば側端部を張り出させたにもかかわらず、その強度を良好に維持することができる。
【図面の簡単な説明】
【図１】本発明の一実施形態に係る建物の妻側を示す斜視図である。
【図２】建物の概略平面図である。
【図３】切妻屋根の妻側における母屋の配列を示す概略平面図である。
【図４】切妻屋根の妻側における母屋の取付構造を示す斜視図である。
【図５】けらば軒フレームの取付構造を示す斜視図である。
【符号の説明】
(１)(40)  外壁
(41)  アルコーブ
(３)(43)  凹部
(２)(42)  凸部
(４)(44)  切妻屋根
(５)(45)  けらば側端部
(６)(46)  凸部を覆う屋根部分
(７)(47)  木製の母屋
(８)(48)  凹部を覆う屋根部分
(９)(49)  金属製の母屋
【図１】
0003771062.tif 000002
【図２】
0003771062.tif 000003
【図３】
0003771062.tif 000004
【図４】
0003771062.tif 000005
【図５】
0003771062.tif 000006